(57)【特許請求の範囲】
【請求項１】
柱の上端部である柱頭に取付固定される柱頭金物と、柱の下端部である柱脚に取付固定される柱脚金物とからなり、前記柱頭の上部に前記柱脚とを突き合わせることにより、前記柱頭金物と前記柱脚金物とが自動的に係合状態になることで、前記柱頭と前記柱脚とを接合する自動係合式の接合金物であって、前記柱頭金物及び前記柱脚金物のうち、少なくとも一方の金物には、梁の木口部の切欠段部を支持すると共に、柱梁接合用固定具と接合する金属製の梁受けプレートが設けられ、前記梁の前記木口部側端部には、前記柱梁接合用固定具を挿通する固定具挿通孔が形成され、前記梁受けプレートと前記梁とが前記柱梁接合用固定具を用いて接合されていることを特徴とする柱頭柱脚梁接合金物。
【請求項２】
上階側の柱の下端部である上階柱脚と、下階側の柱の上端部である下階柱頭とが、互いに突き合わせの状態で、請求項１記載の柱頭柱脚梁接合金物を用いて接合されてなる柱頭柱脚梁接合構造であって、
前記柱頭金物及び柱脚金物のうち、少なくとも一方の金物の前記梁受けプレートにて、前記梁の木口部の切欠段部を支持し、前記梁受けプレートに接合される柱梁接合用固定具により、柱と梁とが接合されていることを特徴とする柱頭柱脚梁接合構造。
【請求項３】
前記梁の木口部に柱梁接合用固定具が挿通される固定具挿通孔が穿設され、該固定具挿通孔は、前記柱梁接合用固定具の軸外径よりも所定寸法大きく設定され、該柱梁接合用固定具が挿通された固定具挿通孔にグラウト材を充填してなることを特徴とする請求項２記載の柱頭柱脚梁接合構造。
【請求項４】
建物の上階部分を構成する上階建物ユニットに組み込まれた柱の下端部である上階柱脚と、前記建物の下階部分を構成する下階建物ユニットに組み込まれた柱の上端部である下階柱頭とが、互いに突き合わせの状態で請求項１記載の柱頭柱脚梁接合金物を用いて接合されてなる建物ユニットであって、
前記柱頭金物及び柱脚金物のうち、少なくとも一方の金物の前記梁受けプレートにて、前記梁の木口部の切欠段部を支持し、前記梁受けプレートに接合される柱梁接合用固定具により、柱と梁とが接合されていることを特徴とする柱頭柱脚梁接合構造を有する建物ユニット。
【発明の詳細な説明】
【０００１】
【産業上の利用分野】
この発明は、住宅等の建物の上下階の柱同士を接合し、さらには、梁も接合できる柱頭柱脚梁接合金物及び該金物を用いる柱頭柱脚梁接合構造並びに該構造を有する建物ユニットに関する。
【０００２】
【従来の技術】
従来から、建物の工業生産化率を高める一方式として、ユニット建物が普及している。このユニット建物は、一棟の建物を予めいくつかの運搬可能な大きさのユニットに分けて工場で生産した後、これらのユニットを建築現場に輸送し、予め準備した基礎の上で施工・組立する方式の建物である。組立は、まず、下階となる建物ユニットを基礎の上に据え付けてから相互に連結し、次に、据え付けられた下階建物ユニットの上に上階となる建物ユニットを据え付けてから相互に連結し、さらに、上階建物ユニット（上階部分がない場合には、下階建物ユニット）の上に対応する屋根ユニットを据え付け、これら屋根ユニットを相互に連結することで行われる。また、最近では、このようなユニット建物の組立簡易性・施工迅速性・作業安全性の一層の向上を図ることを目的として、上階建物ユニットと下階建物ユニットとを、対応する柱同士を相互に突き合わせて重ねるだけで、自動的に締結できる係合固定式の柱頭柱脚接合構造が、例えば、この出願人の出願に係る特願平７−１５４５９７号等によって提供されている。
【０００３】
上記出願に係る柱頭柱脚接合構造では、図１０に示すように、予め下階建物ユニットの四隅に配される柱（図では、木質柱の例を示す）１００の上端部（柱頭）１０１に、上面開口の凹部１０２を設け、この凹部１０２に収納固着された裏ナット２００に、輪帯状の凹段部３０１を有する円錐型のねじ付きピン３００を螺着しておく。一方、上階建物ユニットの四隅に配される柱４００（図では、木質柱の例を示す）の下端部（柱脚）４０１に下面開口の凹部４０２を設け、この凹部４０２に、可撓性を有する素材によって形成された二股状の係止部材５００を吊り下げ状態で収納固着しておく。
このような構成において、下階建物ユニットの上に上階建物ユニットを載置固定する際には、同図に示すように、上階建物ユニットの四隅に配された柱４００を下階建物ユニットの四隅に配された柱１００の上にゆっくり吊り下ろして行き、上階柱脚４０１と下階柱頭１０１とを互いに突合せの状態にして行く。
このとき、上階柱脚４０１に設けられた係止部材５００の二股先端部５０１が、下階柱頭１０１に螺着された円錐型のピン３００によって押圧され、ピン３００が円錐状に形成されているため、係止部材５００の二股先端部５０１が押し広げられながら摺動し、図１１に示すように、ピン３００の円錐下端に来ると凹段部３０１に嵌まって係止固定される。このようにして、下階建物ユニットと上階建物ユニットとが自動的に締結固定されるので、組立作業が簡易・迅速・安全となる。
【０００４】
ところで、建物ユニットを製作する場合、柱の上端又は下端に梁（天井大梁や床大梁）を接合する構造も必要となる。従来、柱が木質の場合には、図１２に示すように、木質の柱６００の上端部又は下端部に梁７００の長手方向に軸心を持つボルト挿通孔６０１を設けると共に、木質の梁７００の端面にも自身の長手方向に軸心を持つボルト挿通孔７０１を開け、さらに、木質の梁７００の端面近傍の側面にボルト挿通孔７０１の出口を内側面に持つ接合用の切欠部７０２を設け、柱６００の上端又は下端に梁７００の先端面を突付けの状態にして、かつ、二つのボルト挿通孔６０１，７０１の軸心を揃え、柱６００の梁当接面とは反対側の立側面６０２の側から、長軸ボルト８０１をボルト挿通孔６０１，７０１に挿通し、梁７００の切欠部７０２の中で長軸ボルト８０１とナット８０２とを座金８０３を介して螺合して締め付けることで、柱６００と梁７００とをボルト接合することが一般に行われている。
【０００５】
しかし、上記従来の柱頭柱脚接合構造では、下階柱頭１０１の上面や上階柱脚４０１の下面をそれぞれ切り欠いて設けた凹部１０２，４０２に収納固着されるピン３００や係止部材５００や裏ナット２００等の柱頭柱脚接合用の構成部材と、柱梁接合用の長軸ボルト８０１とが、互いに干渉するため、柱１００，４００（図１１参照）に長軸ボルト８０１を貫通させることができない、という問題があった。
そこで、この出願人は、従来、柱頭金物又は柱脚金物の一方に柱梁接合用ボルトと螺合可能な雌ねじの切られたシアプレートを設けた柱頭柱脚梁接合金物及び柱頭柱脚梁接合構造並びにユニット建物を提案した（特願平８−７８７２８号等参照）。
【０００６】
【発明が解決しようとする課題】
しかしながら、上記従来の構成のものは、梁に加わる荷重を柱側に確実に伝達するには、柱側に設けられたシアプレートと梁の木口に形成されたシアプレート嵌合凹部が遊びがなく装着する必要がある。また、梁接合の際に、シアプレートに穿設された雌ねじ中心軸と柱梁接合用ボルトの軸中心とを正確に合わせる必要がある。このため、柱頭金物、柱脚金物、柱や梁の加工精度や柱頭柱脚梁接合構造の組立精度の高精度が要求される。
また、梁に加わる鉛直方向の荷重が、シアプレートに螺合した柱梁接合用ボルトを介して柱頭や柱脚に伝達される構造になっているため、前記ボルトを正確に取付けないと、柱と梁との間に隙間が生じ、梁に加わる荷重が柱頭や柱脚に確実に伝達されない。このため、梁の支持強度が弱くなる。
【０００７】
この発明は、上述の事情に鑑みてなされたもので、柱頭柱脚接合構造と柱梁接合構造との間の干渉を回避できるようにすると共に、柱や梁等の加工精度や組立精度をそれほど厳格にしなくても、梁の接合ができ、また梁に加わる荷重を柱頭や柱脚に確実に伝達できる柱頭柱脚梁接合金物及び該金物を用いた柱頭柱脚梁接合構造並びに該構造を有する建物ユニットを提供することを目的としている。
【０００８】
【課題を解決するための手段】
上記課題を解決するために、請求項１の発明に係る柱頭柱脚梁接合金物は、柱の上端部である柱頭に取付固定される柱頭金物と、柱の下端部である柱脚に取付固定される柱脚金物とからなり、前記柱頭の上部に前記柱脚とを突き合わせることにより、前記柱頭金物と前記柱脚金物とが自動的に係合状態になることで、前記柱頭と前記柱脚とを接合する自動係合式の接合金物であって、前記柱頭金物及び前記柱脚金物のうち、少なくとも一方の金物には、梁の木口部の切欠段部を支持すると共に、柱梁接合用固定具と接合する金属製の梁受けプレートが設けられ、前記梁の前記木口部側端部には、前記柱梁接合用固定具を挿通する固定具挿通孔が形成され、前記梁受けプレートと前記梁とが前記柱梁接合用固定具を用いて接合されていることを特徴としている。
【０００９】
また、請求項２記載の発明に係る柱頭柱脚梁接合構造は、上階側の柱の下端部である上階柱脚と、下階側の柱の上端部である下階柱頭とが、互いに突き合わせの状態で、前記柱頭柱脚梁接合金物を用いて接合されてなると共に、前記柱頭金物及び柱脚金物のうち、少なくとも一方の金物の前記梁受けプレートにて、前記梁の木口部の切欠段部を支持し、前記梁受けプレートに接合される柱梁接合用固定具により、柱と梁とが接合されていることを特徴としている。
【００１０】
また、請求項３記載の発明は、請求項２記載の柱頭柱脚梁接合構造に係り、前記梁の木口部に柱梁接合用固定具が挿通される固定具挿通孔が穿設され、該固定具挿通孔は、前記柱梁接合用固定具の軸外径よりも所定寸法大きく設定され、該柱梁接合用固定具が挿通された固定具挿通孔にグラウト材を充填してなることを特徴としている。
【００１１】
また、請求項４記載の発明に係る建物ユニットは、建物の上階部分を構成する上階建物ユニットに組み込まれた柱の下端部である上階柱脚と、前記建物の下階部分を構成する下階建物ユニットに組み込まれた柱の上端部である下階柱頭とが、互いに突き合わせの状態で接合されてなると共に、前記柱頭金物及び柱脚金物のうち、少なくとも一方の金物の前記梁受けプレートにて、前記梁の木口部の切欠段部を支持し、梁受けプレートに接合される柱梁接合用固定具により、柱と梁とが接合されていることを特徴としている。
【００１２】
【作用】
この発明の構成の接合金物では、柱頭金物又は柱脚金物の一方の金物には、柱梁接合用固定具と接合する梁受けプレートが設けられているため、固定具により梁を接合でき、柱頭柱脚接合構造と柱梁接合構造との間で干渉が生じない。また、柱頭金物又は柱脚金物の一方の金物に設けられた梁受けプレートは、梁の木口部の切欠段部を支持するため、柱梁接合用固定具と係合する梁受けプレートの位置合わせは、それほど厳格にしなくても、梁が正確に支持され、また梁に加わる鉛直荷重を梁の木口部を介して柱頭又は柱脚に確実に伝達される。
固定具挿通孔は、固定具の軸外径よりも所定寸法大きく設定されているため、加工精度及び組立精度が緩和され、また固定具が挿通された固定具挿通孔にグラウト材を充填するため、固定具が緊密に固定され、水平荷重も梁から柱に確実に伝達できる。さらに、固定具も、大きなものを用いることが可能になるため、柱梁接合の強度も大きくできる。
【００１３】
【実施例】
以下、図面を参照して、この発明の実施の形態について説明する。説明は、実施例を用いて具体的に行う。
図１は、この発明の一実施例である自動係合式の柱頭柱脚梁接合構造を採り入れたユニット建物の一部構成を分解して示す分解斜視図、図２は、同実施例に用いられる雄型柱頭金物の構成及び取付状態を示す図で、同図（ａ）は、分解正面図、同図（ｂ）は、正面図、図３は、同じく雄型柱頭金物の構成及び取付状態を示す図で、同図（ａ）は、図２（ａ）のＡ−Ａ線に沿う分解垂直断面図、同図（ｂ）は、図２（ｂ）のＢ−Ｂ線に沿う垂直断面図、図４は、同実施例に用いられる雌型柱脚金物の構成及び取付状態を示すと共に、同雌型柱脚金物を利用した柱梁接合構造を示す正面図、図５は、同じく雌型柱脚金物を利用した柱梁接合構造を示す図で、図４のＣ−Ｃ線に沿う垂直断面図、図６は、同じく雌型柱脚金物を利用した柱梁接合構造を示す分解斜視図、図７は、同雌型柱脚金物が取付固定される木質柱脚の切欠形状を示す斜視図、図８は同木質柱脚（下階柱脚）に雌型柱脚金物を固定する固定方法の分解斜視図、また、図９は、同ユニット建物の組立施工時に、同雄型柱頭金物（ジョイントピン）と同雌型柱脚金物（二股状の板ばね係止部材）とが自動的に嵌合係着されて、柱頭柱脚接合構造が作られてゆく様子を示す図である。
この例のユニット建物は、図１に示すように、予め準備したコンクリート基礎１の上に、建物各階の部屋部分を構成する建物ユニット２Ａ，２Ｂ，２Ｃと屋根部分を構成する屋根ユニット３とを水平方向及び垂直方向（同図には垂直方向のみを示す）に組立連結してなる木質三階建住宅に係り、各建物ユニット２Ａ，２Ｂ，２Ｃは、床パネル４の三つの側縁に沿って、壁パネル５，５，…が壁勝ちに立設され、四隅には、構造耐力を高めるために角形の木質柱６，６，…が配されている。
床パネル４は、根太（短根太）４１，４１，…に直交してこれらの木口と突き付けの状態で、端根太（長根太）４２，４２が釘打ちされて方形の床枠組が構成され、この床枠組の上面に構造用合板やパーティクルボード等の図示せぬ床面材が取り付けられて床構面として構成されている。各壁パネル５，５，…は、縦枠５１，５１，…の上端と下端とのそれぞれにおいてこれらの木口と突き付けの状態で上枠５２と下枠５３がそれぞれ釘打ちされて壁枠組とされ、この壁枠組の内面及び外面の両側に石膏ボードや硬質木片セメント板等の壁面材が取り付けられて耐力壁とされている。これらの壁面材の外面は、それぞれ内装、外装の仕上げも施され、さらに、必要に応じて断熱材が充填されている。
木質柱６は、壁パネル５，５の最外縁の縦枠５１とボルトで接合されているが、床パネル４の壁パネル５が立設されていない側縁側で相対向する木質柱６，６間には、例えば８９×１５２ｍｍの木製の床梁４３が架設されている。ここで、床パネル４の構成材である各根太４１，４２には、例えば、ＪＡＳ寸法形式２０６材（３８×１４０ｍｍの製材又は集積材）が用いられる、また、壁パネル５の構成材である縦枠５１、上枠５２、下枠５３には、例えば、２０４材（３８×１４０ｍｍの製材又は集積材）や２０６材が用いられる。また、木質柱６には、例えば、４０４材（８９×８９ｍｍの製材又は集積材）が好適に用いられる。
【００１４】
上記構成のユニット建物は、自動係合式の接合金物を用いて、下階の建物ユニット２Ａ（２Ｂ）と上階の建物ユニット２Ｂ（２Ｃ）とが、四隅において、柱頭柱脚接合がなされることにより構成され、必要に応じて、上階の壁パネル５の下枠５３が下階の壁パネル５の上枠５２に釘打ち又はボルト締めされて固定されている。また、この例で使用される上記接合金物は、柱頭柱脚接合具としての機能だけではなく、柱梁接合具としての機能も有し、上階の建物ユニット２Ｂ（２Ｃ）では、この機能を利用して、木質柱６と床梁４３とを接合することも行われている。すなわち、この接合金物は、図２及び図３に示すように、各木質柱６の上端部である木質柱頭６１に取付固定された雄型柱頭金物７と、図４及び図５に示すように、各木質柱６の下端部である木質柱脚６２に取付固定された柱梁接合機能付きの雌型柱脚金物８とから構成されている。
【００１５】
上記雄型柱頭金物７は、先端部にテーパ状の頭部７１ａ、中間部に凹段部（嵌合係着段部）７１ｂ、後端部に雄ねじ部７１ｃをそれぞれ有するジョイントピン７１と、図２及び図３に示すように、このジョイントピン７１を螺着して固定するためのＭ２０の裏ナット７２と、この裏ナット７２を収納保持するための６面体構成の箱金物７３と、この箱金物７３を木質柱頭６１に取付固定すると共に、木質柱頭６１を補強するための一対の取付補強プレート７４，７４と、木質柱頭６１の上端面に設けた方形鋼板製（例えば、厚さ４ｍｍ）の支持板７５とから構成されている。これに対応して、木質柱頭６１の上端面には、雄型柱頭金物７を装着するための凹部６３が、木質柱頭６１の四つの立側面のうち、屋外側の立側面に直交して相対向する二つの立側面間を切り通す状態に設けられている（図２（ａ）（ｂ））。さらに、これら二つの立側面間を貫いて、上下二つの取付用のボルト挿通孔が設けられている。
【００１６】
箱金物７３は、上蓋７３ａと下蓋７３ｂと断面長方形の角筒部７３ｃとから６面体箱形に構成され、木質柱頭６１の上端面の凹部６３と嵌合可能な大きさ形状に形成されている。箱金物７３の上蓋７３ａにはジョイントピン７１の雄ねじ部７１ｃを挿通させる貫通孔が穿孔されていて、裏面には裏ナット７２が貫通孔と軸芯を共通にして溶接により固定されている。この裏ナット７２にジョイントピン７１の雄ねじ部７１ｃが螺合されることで、ジョイントピン７１が箱金物７３の上蓋７３ａに突隆状態に取付固定される。
なお、支持板７５にもジョイントピン７１の雄ねじ部７１ｃを挿通させる貫通孔が穿設されていて、ジョイントピン７１の雄ねじ部７１ｃが、支持板７５及び上蓋７３ａの貫通孔を挿通して裏ナット７２に螺着されて固定される。また、取付補強プレート７４，７４は、横幅（３８ｍｍ）が、４０４材（８９×８９ｍｍ）の木質柱６の横幅よりも狭幅で、かつ、比較的長尺の鋼板（例えば、４．５×３８×２２９ｍｍ）からなり、長手方向を垂下する状態で、それぞれの上端部が箱金物７３（角筒部７３ｃ）の相対向する短辺側の両外側面に当接されて、溶接により固着されている。これらの取付補強プレート７４，７４には、木質柱頭６１に予め設けられた上下二つのボルト挿通孔に対応する位置に、二つの取付用のボルト挿通孔が開けられている。
【００１７】
上記構成の雄型柱頭金物７を、木質柱頭６１の上端面に取付固定するには、木質柱頭６１の上端面の上方から、取付補強プレート７４，７４を、木質柱頭６１の四つの立側面のうち、相対向する所定の二つの立側面を挟み込む状態で、箱金物７３を木質柱頭６１上端面の凹部６３に嵌め込む。そして、箱金物７３が木質柱頭６１の凹部６３に完全に嵌め込まれたとき、図２及び図３に示すように、２枚の取付補強プレート７４，７４に設けられた上下二つのボルト挿通孔と、木質柱頭６１に予め設けておいた上下二つのボルト挿通孔とがそれぞれ重なる状態となるので、これらのボルト挿通孔に例えばＭ１２の長ボルト７６，７６を挿通し、挿通した長ボルト７６，７６をナット７７，７７で締結固定する。このようにして、雄型柱頭金物７が、木質柱頭６１の上端面に取付固定される。なお、これらの取付補強プレート７４，７４は、上端面に凹部６３が刻設されたことにより、強度が低下した木質柱頭６１を補強する機能も有している。
【００１８】
次に、雌型柱脚金物８は、図４及び図５に示すように、上階積載時に加えられる垂直荷重の作用によりジョイントピン７１の凹段部７１ｂに嵌合係着される一対の係止片８１ａ，８１ａを先端部に有し、後端部に取付孔８１ｂを有する二股状の板ばね係止部材（ばね鋼）８１と、この板ばね係止部材８１を収納するための６面体構成の箱金物８２と、板ばね係止部材８１を箱金物８２に収納状態で支持固定するための取付ボルト８３と、接合解除用の雄ねじ部材８４と、箱金物８２を木質柱脚６２に取付固定すると共に、木質柱脚６２を補強するための一対の取付補強プレート８５，８５とから柱頭柱脚接合部が構成され、さらに、木質柱脚６２と床梁４３とを接合するための梁受けプレート９が設けられている。この梁受けプレート９は、水平な上面９ａを有し、その上面９ａで床梁４３の先端の木口部の切欠段部９４が支持されると共に、この中心部に穿設された雌ねじ部９３に螺合する両ねじボルト（柱梁接合用固定具）９２とそのボルト９２に螺合するナット９７とにより床梁４３を木質柱脚６２に接合する構成になっている。
【００１９】
箱金物８２は、比較的厚肉の上蓋８２ａと断面長方形の角筒部８２ｃとからなる面体箱形に構成され、下部側には、支持板８６が設けられ、この板に接合作業時、雄型柱頭金物７のジョイントピン７１を箱金物８２の内部に挿入させるための貫通孔８６ａが設けられている。上蓋８２ａには取付ボルト８３と螺合可能な雌ねじ部が設けられている。二股状の板ばね係止部材８１は、係止片８１ａ，８１ａ（以下、二股先端部ともいう）を下向きにして、取付ボルト８３が上蓋８２ａの雌ねじ部に螺着することで、箱金物８２の上蓋８２ａに固着されている。
取付補強プレート８５，８５は、横幅（３８ｍｍ）が、４０４材（８９×８９ｍｍ）の木質柱６の横幅よりも狭幅で、かつ、比較的長尺の鋼板（例えば、４．５×３８×２４８ｍｍ）からなり、長手方向が起立する状態で、それぞれの下端部が箱金物８２（角筒部８２ｃ）の相対向する短辺側の両外側面に当接されて、溶接により固着されている。これらの取付補強プレート８５，８５には、上下に二つの取付用のボルト挿通孔８５ａ，８５ａが開けられている。また、梁受けプレート９は、厚さ略１６ｍｍ、一辺が約７０ｍｍの矩形状板９１を箱金物８２（角筒部８２ｃ）の長辺側の一つの外側面（床梁４３側の外側面）に当接した状態で、溶接により固着してなり、この梁受けプレート９の矩形状板９１の中心には、床梁４３接合用の両ねじボルト９２の一端側の雄ねじ部と螺合可能な雌ねじ部９３が螺刻されている。
【００２０】
上記構成の雌型柱脚金物８に対応して、木質柱脚６２の梁側立側面６２ａには、図７に示すように、床梁４３を突付けの状態で取り付けるための仕口用切欠６４が、梁側立側面６２ａに直交状態に隣接する左右両側の立側面間を切り通す状態に設けられている。さらに、この仕口用切欠６４の梁側立側面（仕口用切欠面）６４ａには、雌型柱脚金物８の箱金物８２を装着するための装着用切欠６５が、梁側立側面６４ａに直交状態に隣接する左右両側の立側面間を切り通す状態に設けられている。また、木質柱脚６２の梁側立側面６２ａに直交状態に隣接する左右両側の立側面間には、上下二つの取付用のボルト挿通孔６６，６６が穿孔されている。
木質柱脚６２に穿設されたボルト挿通孔６６，６６は、長ボルト７６，７６の軸外径よりも所定寸法大きく設定され、また木質柱脚６２の梁接合側には、それぞれボルト挿通孔６６，６６に通ずる、例えば、６ｍｍφのエポキシ充填孔（グラウト材充填孔）６６Ａ，６６Ａが穿設されている。そして、木質柱脚６２の下端面に雌型柱脚金物８を装着する際に、ボルト挿通孔６６，６６に挿通された長ボルト７６，７６と、この長ボルト７６，７６にワッシャー７６ａ，７６ａを介して螺合したナット７７，７７とにより仮固定し、雌型柱脚金物８を取付位置の微調整を行って正確に位置決めし、その後、長ボルト７６，７６を挿通したボルト挿通孔６６，６６に、グリース状の２液常温・硬化形エポキシ樹脂系接着材（グラウト材）９８を充填し、長ボルト７６，７６とナット７７，７７と間に介したワッシャー７６ａとにより本固定し、一定時間経過によりグラウト材９８を固着し接合する（図５，図８参照）。
【００２１】
一方、床梁（床大梁）４３の木口（端面）には、梁受けプレート９と嵌合（係合）可能な切欠段部９４が設けられ、この切欠段部９４の側面から両ねじボルト９２の全長よりも短い距離に位置する床梁４３の側面には長方形の切欠（側面切欠部）９５が設けられている。さらに、切欠段部９４の中心上位には、床梁（床大梁）４３の長手方向に軸芯を持つ両ねじボルト９２挿通用のボルト挿通孔９６が穿孔され、側面切欠部９５にまで達している。
このボルト挿通孔９６は、両ねじボルト９２の軸外径、例えば、１２ｍｍφよりも所定寸法大きく１８ｍｍφに設定され、また、床大梁４３の側面には、ボルト挿通孔９６に通ずる、例えば、６ｍｍφのエポキシ充填孔（グラウト材充填孔）９６Ａ，９６Ａが穿設されている。そして、木質柱脚６２に床大梁４３を取り付ける際には、この側面切欠部９５の部位で、床大梁４３の端面側からボルト挿通孔９６を挿通した両ねじボルト９２の他端側の雄ねじ部にワッシャー９７ａを介してナット９７を締め付ける。まず、柱梁間を両ねじボルト９２とナット９７により仮固定し、床大梁４３の取付位置の微調整を行って正確に位置決めし、その後、前述と同じように、両ねじボルト９２が挿通されたボルト挿通孔９６に、例えば、グリース状の２液常温・硬化形エポキシ樹脂系接着材（グラウト材）９８を充填し、両ねじボルト９２とナット９７により本固定し、さらにグラウト材９８を固着し接合する（図４，図６参照）。
【００２２】
なお、上記構成の雌型柱脚金物８を、木質柱脚６２の下端面に取付固定するには、図８に示すように、木質柱脚６２の下端面の下方から、取付補強プレート８５，８５を、木質柱脚６２の四つの立側面のうち、梁側立側面６２ａに直交状態に隣接して相対向する二つの立側面を挟み込む状態で、箱金物８２を木質柱脚６２下端面の装着用切欠６５及び仕口用切欠６４に嵌め込む。そして、箱金物８２が木質柱脚６２の装着用切欠６５及び仕口用切欠６４に完全に嵌め込まれたとき、図４及び図５に示すように、２枚の取付補強プレート８５，８５に設けられた上下二つのボルト挿通孔８５ａ，８５ａと、木質柱脚６２に予め設けておいた上下二つのボルト挿通孔６６，６６とがそれぞれ重なる状態にして、これらのボルト挿通孔８５ａ，６６に例えばＭ１２の長ボルト７６，７６を挿通し、挿通した長ボルト７６，７６を、ワッシャー７６ａ，７６ａを介してナット７７，７７で締結固定する。このようにして、雌型柱脚金物８が、木質柱脚６２の下端面に取付固定される。また、これらの取付補強プレート８５，８５は、下端面に装着用切欠６５及び仕口用切欠６４が刻設されたことによる木質柱脚６２の強度低下分を補強する機能も有している。
【００２３】
次に、この例の建物ユニット２Ａ，２Ｂ，２Ｃの製作時、床パネル４の壁パネル５が立設されていない側縁側で相対向する木質柱脚６２，６２間に、木製の床梁４３を架け渡すには、図４に示すように、まず、木質柱脚６２の梁側立側面６２ａの装着用切欠６５の最外側に配置された雌型柱脚金物８の梁受けプレート９の水平な上面９ａに、床梁４３の先端の切欠段部９４を載置し支持させた状態にし、この状態で、梁受けプレート９の雌ねじ部９３に両ねじボルト９２の一端側の雄ねじ部を螺着して水平に取り付ける。次に、取り付けられた両ねじボルト９２に、床大梁４３の端面側からボルト挿通孔９６を嵌め入れて行き、かつ、床梁４３の端面の切欠段部９４と雌型柱脚金物８の梁受けプレート９とを係合させて、床梁４３の端面を木質柱脚６２の仕口用切欠面６４ａに当接させる。床梁４３の端面が木質柱脚６２の仕口用切欠面６４ａに達して、当接状態になると、両ねじボルト９２の他端側の雄ねじ部が、ボルト挿通孔９６を通り抜けて床梁４３の側面切欠部９５の中に現れる。そこで、側面切欠部９５にて、両ねじボルト９２の他端側の雄ねじ部にワッシャー９７ａを介してナット９７を締め付けて木質柱脚６２と床梁４３とを接合する。
【００２４】
次に、ユニット建物の組立施工時、この例の柱頭柱脚接合構造により、上階の建物ユニット２Ｂ（２Ｃ）と、下階の建物ユニット２Ａ（２Ｂ）とを連結するには、まず、上階の建物ユニット２Ｂ（２Ｃ）を、既設の下階の建物ユニット２Ａ（２Ｂ）の上部にまでクレーンで運び、図９（ａ）に示すように、互いの四隅（上階側の柱脚６２と対応する下階側の柱頭６１と）が重なる位置で、上階の建物ユニット２Ｂ（２Ｃ）を、既設の下階の建物ユニット２Ａ（２Ｂ）の上部にゆっくりと下ろしてゆく。このとき、下階木質柱頭６１（雄型柱頭金物７）のジョイントピン７１が、所望の挿入荷重（例えば、上階の建物ユニット２Ｂ（２Ｃ）の重量の１／４の垂直荷重）で上階木質柱脚６２（雌型柱脚金物８）の箱金物８２内に挿入され、箱金物８２内の二股状の板ばね係止部材８１がジョイントピン７１によって押圧され、ジョイントピン７１の頭部７１ａがテーパ状に形成されているため、同図（ｂ）に示すように、板ばね係止部材８１の二股先端部８１ａ，８１ａが押し広げられながら摺動し、同図（ｃ）に示すように、ジョイントピン７１の頭部７１ａを過ぎると、凹段部７１ｂに嵌まって係止固定される。
そして、このような自動係合式の柱頭柱脚接合が、ユニット四隅で行われることにより、上階の建物ユニット２Ｂ（２Ｃ）が下階の建物ユニット２Ａ（２Ｂ）に確実に固定される。なお、コンクリート基礎１と一階建物ユニット２Ａとの接合も、コンクリート基礎１の上部に、予め、雌型柱脚金物８と係合可能な（ジョイントピン７１を有する）雄型基礎金物を埋設しておくことにより、前述と略同様の施工手順により自動式に行われる。また、最上階の建物ユニット２Ｃと屋根ユニット３との接合も、屋根ユニット３の下部に予め、雄型柱頭金物８と係合可能な（二股状の板ばね部材８１を有する）雌型屋根金物を埋設しておくことにより、柱頭柱脚接合（図９）において述べたと略同様の施工手順により自動的に行われる。
【００２５】
この実施例の構成によれば、上階木質柱脚６２を下階木質柱頭６１の上に載置する際に加えられる垂直荷重により、下階木質柱頭６１に取り付けられた雄型柱頭金物７と、上階木質柱脚６２に取り付けられた雌型柱脚金物８とが嵌合係着状態になることで、上下階の木質柱６，６同士が自動的に接合する。しかも、この接合金物には、柱梁接合用の両ねじボルト９２と螺合可能な梁受けプレート（雌ねじ部９３）９が設けられているので、この梁受けプレート（雌ねじ部９３）９を利用して床梁４３を木質柱脚６２にボルト接合することができる。したがって、柱頭柱脚接合構造と柱梁接合構造との間で干渉が起こらない。
梁受けプレート９の上面９ａが水平面となっており、この水平な上面９ａに床梁４３の切欠段部９４が支持されるので、床梁４３の先端の木口部が確実に支持固定される。したがって、床梁４３に加わる鉛直荷重を、梁受けプレート９を介して柱側に確実に伝達することができる。また、柱梁接合用の両ねじボルト９２は、ボルト挿通孔９６に充填されたグラウト材により、緊密に固定されるので、床梁４３からの水平荷重を柱側に確実に伝達できる。したがって、強度のある柱梁接合構造となる。
なお、木質柱頭７や木質柱脚８は、切欠が設けられる分、強度が低下するが、木質柱の相対向する二つの立側面に、取付補強プレート７４，８５が当接固定され補強されるので、柱の必要強度は損なわれない。
【００２６】
以上、この発明の実施例を図面により詳述してきたが、具体的な構成はこの実施例に限られるものではなく、この発明の要旨を逸脱しない範囲の設計の変更等があってもこの発明に含まれる。例えば、木質柱脚６２の切欠の形状は、図示例に限らない。また、雄型ジョイント部材（ジョイントピン）や雌型ジョイント部材（二股状の板ばね係止部材）も図示例のものに限定されない。
また、取付補強プレート７４，８５は、相対向する２枚に限らず、必要に応じて、増減できる。また、この発明の柱頭柱脚接合構造の適用対象となる建物は、ユニット建物に限定されない。また、上述の実施例では、雌型柱脚金物に柱梁接合部を一つ設けたが、木質柱に桁梁と妻梁とが接合される場合には、これに応じて、柱梁接合部を複数設けることも可能である。また、梁受けプレートは、天井梁を接合する場合には、雌型柱脚金物に代えて、雄型柱頭金物側に設ければ良く、床梁のみならず天井梁も接合する場合には、雌型柱脚金物と雄型柱頭金物との両方に設ければ良い。逆に、梁を接合しない場合には、この発明の柱頭柱脚梁接合金物を、柱頭柱脚接合金物として用いれば良い。また、上述の実施例では、木質柱頭側に雄型金物を、木質柱脚側に雌型金物を用いたが、これを逆にして用いることも可能である。また、長ボルトや両ねじボルトが挿通されたボルト挿通孔に充填するグラウト材は、２液常温・硬化形エポキシ樹脂接着材に限らず、エポキシ樹脂の主剤とポリチオール及び三級アミン等からなる硬化剤との接着剤、ウレタン系組成物の主剤とイソシアナート系の硬化剤等との接着剤等、その他のグラウト材を用いても良い。また、グラウト材を充填するボルト挿通孔の構造は、木質柱頭６１側にも適用すると良い。
この発明は、柱が木質柱である場合に特に効果的であるが、木質柱に限定されるものではなく、コンクリート柱、鋼柱、合成木材柱、強化プラスチック（ＦＲＰ）柱、又はこれらの複合材からなる柱にも適用できる。
【００２７】
【発明の効果】
以上説明したように、この発明の構成によれば、柱頭金物又は柱脚金物の一方の金物には、柱梁接合用固定具と接合される梁受けプレートが設けられ、梁の木口部側端部には、柱梁接合用固定具を挿通する固定具挿通孔が形成されているため、柱梁接合用固定具により梁を接合でき、柱頭柱脚接合構造と柱梁接合構造との間で干渉が生じない。また、柱頭金物又は柱脚金物の一方の金物に設けられた梁受けプレートは、梁の木口部の切欠段部を支持するため、柱梁接合用固定具と接合される梁受けプレートの位置合わせは、それほど厳格にしなくても、梁が正確に支持され、また梁に加わる鉛直荷重を梁の木口部を介して柱頭又は柱脚に確実に伝達される。固定具挿通孔は、柱梁接合用固定具の軸外径よりも所定寸法大きく設定されているため、加工精度及び組立精度が緩和され、また柱梁接合用固定具が挿通された固定具挿通孔にグラウト材を充填するため、柱梁接合用固定具が緊密に固定され、水平荷重も梁から柱に確実に伝達できる。さらに、柱梁接合用固定具も、大きなものを用いることが可能であるため、柱梁接合の強度も大きくできる。
【図面の簡単な説明】
【図１】この発明の一実施例である自動係合式の柱頭柱脚梁接合構造を採り入れたユニット建物の一部構成を分解して示す分解斜視図である。
【図２】同実施例に用いられる雄型柱頭金物の構成及び取付状態を示す図で、同図（ａ）は、分解正面図、同図（ｂ）は、正面図である。
【図３】同じく雄型柱頭金物の構成及び取付状態を示す図で、同図（ａ）は、図２（ａ）のＡ−Ａ線に沿う分解垂直断面図、同図（ｂ）は、図２（ｂ）のＢ−Ｂ線に沿う垂直断面図である。
【図４】同実施例に用いられる雌型柱脚金物の構成及び取付状態を示すと共に、同雌型柱脚金物を利用した柱梁接合構造を示す正面図である。
【図５】同雌型柱脚金物の構成及び取付状態を示す図で、図４のＣ−Ｃ線に沿う垂直断面図である。
【図６】同雌型柱脚金物を利用した柱梁接合構造を示す分解斜視図である。
【図７】同雌型柱脚金物が取付固定される木質柱脚の切欠形状を示す斜視図である。
【図８】木質柱脚に雌型接合金物を固定する固定方法を示す分解斜視図である。
【図９】同ユニット建物の組立施工時に、同雄型柱頭金物（ジョイントピン）と同雌型柱脚金物（二股状の板ばね係止部材）とが自動的に嵌合係着されて、柱頭柱脚接合構造が作られてゆく様子を示す図である。
【図１０】従来における柱頭柱脚接合金物の構成を示す部分断面図である。
【図１１】同柱頭柱脚接合金物を用いた柱頭柱脚接合構造を示す部分断面図である。
【図１２】従来技術の問題点を説明するための図である。
【符号の説明】
６      木質柱
７      雄型柱頭金物（柱頭金物）
８      雌型柱脚金物（柱脚金物）
９      梁受けプレート
４３      床梁（床大梁）
６１      木質柱頭
６２      木質柱脚
９２      両ねじボルト（柱梁接合用固定具）
９４      切欠段部
９５      側面切欠部
９６      ボルト挿通孔（固定具挿通孔）
９８      ２液常温・硬化形エポキシ樹脂系接着材（グラウト材）
【図１】
0003822717.tif 000002
【図２】
0003822717.tif 000003
【図３】
0003822717.tif 000004
【図４】
0003822717.tif 000005
【図５】
0003822717.tif 000006
【図６】
0003822717.tif 000007
【図７】
0003822717.tif 000008
【図８】
0003822717.tif 000009
【図９】
0003822717.tif 000010
【図１０】
0003822717.tif 000011
【図１１】
0003822717.tif 000012
【図１２】
0003822717.tif 000013